(57)【要約】      （修正有）【課題】携帯電話等に使用するボタンモジュールにおいて、光線全反射の角度を変更することにより、光の本数を増やすことができる屈折率向上機能付きボタンモジュールを提供する。【解決手段】導光バネ部材１０と光学屈折層２０と少なくとも一つの発光素子３０により、該ボタンモジュールを構成する。導光バネ部材１０は、透明ラバー材または透明プラスチック材からなり、該導光バネ部材１０の下面には、複数の微小導光構造１１を有し、微小導光構造１１のそれぞれは、複数の凹溝１１１を設置している。該光学屈折層２０は、透光性の性質を持ち、塗布により該導光バネ部材１０の上面に結合される。該光学屈折層２０は、光学的性質を持つ材料、例えば、ＳｉＯ２からなる。その中、空気の屈折率をＸ、導光バネ部材１０の屈折率をＹ、光学屈折層２０の屈折率をＺとすると、ＹがＺより大きく、ＺがＸより大きく、すなわち、Ｙ＞Ｚ＞Ｘとする。【選択図】図２
0003145073.tif 000002
【実用新案登録請求の範囲】
【請求項１】
屈折率向上機能付きボタンモジュールにおいて、
導光バネ部材と、
前記導光バネ部材の上面に結合される光学屈折層と、
前記導光バネ部材の側辺に設けられる少なくとも一つの発光素子とを備え、
空気の屈折率をＸ、導光バネ部材の屈折率をＹ、光学屈折層の屈折率をＺとすると、ＹがＺより大きく、ＺがＸより大きい（ここで、Ｘ、Ｙ、Ｚは実数である）ことを特徴とする屈折率向上機能付きボタンモジュール。
【請求項２】
前記導光バネ部材は、透明ラバー材または透明プラスチック材からなることを特徴とする請求項１記載の屈折率向上機能付きボタンモジュール。
【請求項３】
前記導光バネ部材の下面には、複数の微小導光構造を有することを特徴とする請求項１記載の屈折率向上機能付きボタンモジュール。
【請求項４】
前記夫々の微小導光構造は、複数の凹溝を設置していることを特徴とする請求項３記載の屈折率向上機能付きボタンモジュール。
【請求項５】
前記屈折率Ｘの論理値が１であって、前記屈折率Ｙが１．４〜１．６の間にあり、前記屈折率Ｚが１．２〜１．５の間にあることを特徴とする請求項１記載の屈折率向上機能付きボタンモジュール。
【請求項６】
前記発光素子は、発光ダイオードであることを特徴とする請求項１記載の屈折率向上機能付きボタンモジュール。
【考案の詳細な説明】
【技術分野】
【０００１】
本考案は、ボタンモジュールに係り、特に、光線全反射の角度を変更することにより光の本数を増やすことができる屈折率向上機能付きボタンモジュールに関る。
【背景技術】
【０００２】
情報科学技術の時代の到来に伴い、さらに、通信ネットワーク技術の進歩に加えて、携帯電話(或いは携帯という)は、現在最もよく見られている通信ツールの一つとなっている。携帯電話は、その体積が小さく、携帯に便利で、機能が揃い、及び価格が低下しつつあるので、益々多くの消費者に愛用されるようになる。一般に、消費者は、携帯電話を選んで買おうとする場合、携帯電話の機能及び外形を重視することが多く、マーケティングにおいても、消費者の傾向に応じて、機能が揃い、及び外形が目新しい携帯電話が続々出されている。
【０００３】
どころで、従来の携帯電話のボタン部については、上方の字体を光らせるために、一般的には、ボタンの下方の発光すべき領域に光源として発光ダイオードを配置して光を生じ、さらに、ボタンのゴムやラバー（ｒｕｂｂｅｒ）自体の材料特性を利用して、光線を乱射させることで光の進行方向を変えて、上方の透光文字を光らせるように構成されている。
【０００４】
しかしながら、現在使用されているラバーは、その材料特性のせいで透光率が低く、光のラバー内での損失が非常に大きく、光をより遠い領域に伝達できなくなる。また、ボタン部の字体近傍だけを照明しようとしても、一般に６〜８つまでの発光ダイオードを光源として使用しなければならない。
【０００５】
従来、光の損失を減らすために光透過率の高い材料を採用する場合もあるが、４つの発光ダイオードを用いないと足りなくなる事情がある。そのゆえ、上記従来の方式は、その光の伝達効率及び均一性がいずれも好ましくない。
【０００６】
上記から分かるように、従来のボタン部は、実際応用上に不便や問題が明らかに存在し、改善すべきものである。かつ、現在のボタン部の光源への要求に応じて、ボタン部が輝度または均質性などのような光学的な表現は既に重要な発展傾向になってしまう。そのため、どうすれば、少ない光或いは等光源プラス光学構造の設計により高効率及び均質率の特性を達成できるのかは、関連研究者らが重点とする方向である。
【０００７】
そのため、本考案者は、上記欠点が改良できるのに着目して、長年以来この領域で積み立てた経験により、専念な観察かつ研究をし、さらに学術理論の運用に合せ、合理な設計の本考案を提案した。
【考案の開示】
【考案が解決しようとする課題】
【０００８】
本考案は、光線全反射の角度を変更可能で光の本数を向上できる屈折率向上機能付きボタンモジュールを提供することを目的とする。
【課題を解決するための手段】
【０００９】
前記目的を達成するため、本考案による屈折率向上機能付きボタンモジュールは、導光バネ部材と、前記導光バネ部材の上面に結合される光学屈折層と、前記導光バネ部材の側辺に設けられる少なくとも一つの発光素子とを含む。当該屈折率向上機能付きボタンモジュールにおいて、空気の屈折率をＸ、導光バネ部材の屈折率をＹ、光学屈折層の屈折率をＺとすると、ＹがＺより大きく、ＺがＸより大きい（ここで、Ｘ、Ｙ、Ｚは実数である）。
【００１０】
本考案は、以下の効果を有する。導光バネ部材の上面に光学屈折層を結合し、かつ両者間の屈折率を異なるようにする設計により、元の導光バネ部材の光線全反射の角度を変更させ、より多くの光線を導光バネ部材の外へ案内することで、導光バネ部材における利用可能な光線の本数を増やし、輝度及び均質率を向上する機能を有する。ひいては、ボタンモジュールの光学表現を改善し、光源の効用を向上し、電池効用を増加できる。
【考案の効果】
【００１１】
このような特徴を有する本考案によれば、ボタンモジュールの輝度及び均質率を向上することができる。
【考案を実施するための最良の形態】
【００１２】
本考案に係る特徴及び技術内容が、以下に本考案に関る詳しい説明及び添付図面を参照することにより、深く且つ具体的な理解を得られるが、それらの添付図面は参考及び説明のみに使われ、本考案の主張範囲を限定するものではない。
【００１３】
図１及び図２に示すように、本考案に係る屈折率向上機能付きボタンモジュールは、導光バネ部材１０と、光学屈折層２０と、少なくとも一つの発光素子３０とを含む。
【００１４】
導光バネ部材１０は、透明ラバー材または透明プラスチック材からなり、該導光バネ部材１０の下面には、複数の微小導光構造１１を有し、微小導光構造１１のそれぞれは、複数の凹溝１１１を設置している。
【００１５】
該光学屈折層２０は、透光性の性質を持ち、塗布により該導光バネ部材１０の上面に結合される。該光学屈折層２０は、光学的性質を持つ材料、例えば、ＳｉＯ2からなる。
【００１６】
その中、空気の屈折率をＸ、導光バネ部材１０の屈折率をＹ、光学屈折層２０の屈折率をＺとすると、ＹがＺより大きく、ＺがＸより大きく、すなわち、Ｙ＞Ｚ＞Ｘとなる。ここで、Ｘ、Ｙ、Ｚは実数である。より詳しく言えば、Ｘ（即ち空気）の論理値が１であって、導光バネ部材１０は、異なる材料による屈折率Ｙも異なる数値になり、１．４〜１．６の間にあるが、１．５８であればより好ましい。また、光学屈折層２０は異なる材料に従ってその屈折率Ｚも異なる数値を示すが、導光バネ部材１０の数値より小さくしなければならず、１．２〜１．５に間にあり、例えば、１．４８であればより好ましい。
【００１７】
発光素子３０は、導光バネ部材１０の一つの側辺に設けられる。本考案の図面において、一つの発光素子３０を例示するが、もちろん２つ設けてもよく、かつ導光バネ部材１０の両側の辺にそれぞれ設けられても良い。発光素子３０は、発光ダイオードである。
【００１８】
図２と図３に示すように、発光素子３０が導光バネ部材１０へ光線３１を投射すると(矢印に示すように)、光線３１の一部が直接的に微小導光構造１１の案内により光学屈折層２０まで至り、さらに光学屈折層２０を透過して空気に進入する。また、光線３１の残りの一部が導光バネ部材１０の下面まで屈折され、さらに、他の微小導光構造１１の案内により光学屈折層２０まで至り、光学屈折層２０を透過して空気に進入する。
【００１９】
よって、導光バネ部材１０の屈折率Ｙが光学屈折層２０の屈折率Ｚより大きいため、光の屈折原理によると、光学屈折層２０は、導光バネ部材１０からの光線３１の原始角度θ1を変更でき、θ1より小さい角度θ2を生じ、導光バネ部材１０の全反射角度が変えられる。光線３１がさらに光学屈折層２０から反射され空気に進入すると、光学屈折層２０の屈折率Ｚが空気の屈折率Ｘより大きいため、θ2より小さい角度θ3を生じ、全反射角度が再び変えられる。以上のように、光学屈折層２０の設計により、導光バネ部材１０の全反射角度が変えられ、より多くの光線３１が導光バネ部材１０の外へ案内され、よって、導光バネ部材１０内の利用可能な光線数を増加できる。
【００２０】
以上のように、本考案は、導光バネ部材１０の上面に光学屈折層２０を結合し、かつ両者間の屈折率を異なるようにする設計により、元の導光バネ部材１０の光線３１全反射の角度を変更させ、より多くの光線３１を導光バネ部材１０の外へ案内することで、導光バネ部材１０中の利用可能な光線の本数を増やし、輝度及び均質率を向上する機能を有する。ひいては、ボタンモジュールの光学表現を改善し、光源の効用を向上し、電池の効用を増加でき、すなわち、発光素子３０使用数を減らし、省電力化を達成することができる。
【００２１】
また、光学屈折層２０の材質の組み合わせ及び選択により、発光素子３０の元の色を変えることができ、異なる色の効果を生じる。
【００２２】
しかし、以上の説明は単に本考案の好ましい具体的な実施例に過ぎず、本考案の実用新案登録請求の範囲を限定するものではない。いずれの当該分野における通常の知識を有する専門家は、本考案の分野の中で、適当に変更や修飾などを実施できるが、それらの実施が本考案の主張範囲内に含まれるべきことは言うまでもないことである。
【図面の簡単な説明】
【００２３】
【図１】本考案のボタンモジュールを示す分解図である。
【図２】本考案のボタンモジュールを示す組合図である。
【図３】図２のＡ部の拡大図である。
【符号の説明】
【００２４】
１０  導光バネ部材
１１  微小導光構造
１１１  凹溝
２０  光学屈折層
３０  発光素子
３１  光線
θ1〜θ3  角度
【図１】
0003145073.tif 000003
【図２】
0003145073.tif 000004
【図３】
0003145073.tif 000005